(57)【特許請求の範囲】
【請求項１】
複数の磁石の磁極をリング内周面側と外周面側で揃えて円周配列し間隔をあけて配置された２つの竪型の磁石リング軌条と、各々の前記磁石リング軌条の内周側と外周側に所定間隔をおいて前記磁石リング軌条の前記磁石と同極同士対面させて磁石を保持した磁石浮遊ガイド機構と、回転中心を前記磁石リング軌条の円心に対して水平に変位させ且つ平行に位置させて両端部に装着された前記磁石浮遊ガイド機構を回転半径方向に移動自在に支持して前記リング軌条に沿って離間走行させるモーメントシャフト機構とから成る磁石回転ユニットを複数並列に連設し、共通の回転駆動軸に装着したことを特徴とする発電用回転装置。
【請求項２】
前記複数の磁石回転ユニットの各々の前記モーメントシャフト機構の軸受を前記回転駆動軸に所定の等分割の回転角度ずらして固定支持したことを特徴とする請求項１に記載の発電用回転装置。
【発明の詳細な説明】
【技術分野】
【０００１】
本発明は、発電用回転装置に関するものである。
【背景技術】
【０００２】
近年、地球温暖化問題が表面化し、二酸化炭素排出規制が声高に叫ばれている。この対策とするクリーンエネルギー技術として、太陽光電池、風力発電等が開発され現在稼動していますが、コスト及びメンテナンス等の問題でなかなか普及していないのが現状であります。
そのような現状の中で、追い打ちを掛けるように、原油の高騰により国民生活はまさに破綻寸前の状況にあり、特に農業、漁業の従事者は、その生産、捕獲コストが嵩み、廃業に追い遣られ、又転業者が急増していて、日本の農水産業は危機に瀕しています。
以前から小生は、農水産業業者の生産コストを下げ、経営の安定化を目指し、日本の食糧の自給自足を前提とした対策は、「新エネルギーの開発」が最も重要な課題であると思慮しておりました。
このような背景のなか、地球上の重力を活用し、それを効率よく回転エネルギーに転換する新規な方法は無いものかと考え、四苦八苦して開発を進めてきました。その中で２枚の磁石を用いて同極同士を対面させて上から押さえようとしたその時、なんと押さえようとした自分の身体が宙に浮き何の抵抗も無く左右に滑るように動いたのです。反発する原理は知識としてあってもその実態を肌で感ずると言うことはこのことだと痛切に感じました。
この現象に注目して、磁石を磁極を揃えて円周配列した磁石リング軌条を作り、磁石で対面式に配置した磁石浮遊ガイドを当該リング軌条に沿って離間走行させれば摩擦の抵抗が殆ど無い回転体を作れるのではと考え、「前記リング軌条と、モーメントシャフト機構と前記磁石浮遊ガイド機構とを組み合わせ磁石浮遊ガイド機構の回転重力を利用した磁石回転ユニット」を多数並列配列した半永久的な発電用の回転装置を開発し、完成したものであります。
【発明の概要】
【発明が解決しようとする課題】
【０００３】
本発明の発電用回転装置の開発の主な課題は、（１），磁石回転ユニット数の小型化と少数化、（２），磁石を浮遊転動させるモーメント機構の回転中心位置とリング軌条の円心位置との相対関係の適正化、及び回転速度の高速化＜目標３００ｒｐｍ以上＞を図ることである。
【課題を解決するための手段】
【０００４】
上記課題を満足させる本発明の基本的な技術構成は、次の（１）〜（２）の通りである。
（１）複数の磁石の磁極をリング内周面側と外周面側で揃えて円周配列し間隔をあけて配置された２つの竪型の磁石リング軌条と、各々の前記磁石リング軌条の内周側と外周側に所定間隔をおいて前記磁石リング軌条の前記磁石と同極同士対面させて磁石を保持した磁石浮遊ガイド機構と、回転中心を前記磁石リング軌条の円心に対して水平に変位させ且つ平行に位置させて両端部に装着された前記磁石浮遊ガイド機構を回転半径方向に移動自在に支持して前記リング軌条に沿って離間走行させるモーメントシャフト機構とから成る磁石回転ユニットを複数並列に連設し、共通の回転駆動軸に装着した発電用回転装置。
【０００５】
（２）前記複数の磁石回転ユニットの各々の前記モーメントシャフト機構の軸受を前記回転駆動軸に所定の等分割の回転角度ずらして固定支持したことを特徴とする発電用回転装置。
【発明の効果】
【０００６】
本発明の発電用回転装置は前記構成により世界で初めて実現したものであり、前述の課題（１），磁石回転ユニット数の小型化と少数化、（２），磁石浮遊転動モーメント機構の回転中心位置と磁石リング軌条の円心位置との相対関係の適正化、及び回転速度の高速化＜目標３００ｒｐｍ以上＞を図るなど全て満足した優れた効果を呈するものである。
【図面の簡単な説明】
【０００７】
【図１】実施例１における発電用回転装置の全体正面説明図
【図２】図１の左端の磁石回転ユニット３−１の拡大正面説明図
【図３】図２の矢視Ａ−Ａから見た側断面説明図
【図４】図２の矢視Ｂ−Ｂから見た側断面説明図
【図５】図１に示す各「磁石回転ユニット３−１〜３−８」における磁石浮遊転動モーメント機構２００と磁石の円周固定配列した磁石リング軌条すなわち磁石リング軌条１００−１、１００−２との相対位置関係を一図で示した説明図
【図６】実施例２の側断面説明図
【図７】実施例３の側断面説明図
【図８】実施例４の平断面説明図
【図９】実施例４の要部側断面説明図
【図１０】実施例６の要部平断面説明図
【発明を実施するための形態】
【０００８】
（１）、本発明において、磁石とは、永久磁石、電磁石等を言うが、制作上、構造上、節電上から考慮するとシンプルな永久磁石が好ましい。そこで言うまでもないが、永久磁石とは、完全永久磁石はありえないから、実用上の磁力減衰寿命から一般常識の範囲で決まる更新寿命のある永久磁石であることは自明である。後述の各実施例で紹介する磁石は、永久磁石を用いたものであり単に磁石として表現してある。
またこの磁石の形状は、直方体、立方体、円パック体、多角パック体に成型したもの、或いはこれ等を適宜に湾曲成型したものである。
（２）、本発明の磁石回転ユニットにおいて、磁石リング軌条は、竪型の円周方向に前記磁石を密に配列し、
（３）、モーメントシャフト機構は、回転軸部を前記リング軌条の円心から水平に離間偏位させ、磁石浮遊ガイド機構単位に設けるか両側に磁石浮遊ガイド機構を支持する併用単位で設ける。例えば回転軸部から図１に示すように１８０度の角間隔で二個の磁石浮遊ガイド機構用として設けたり、或いは図１４に示すように６０度の角間隔で六個を設けるなど、複数のモーメントシャフト部を均等角度で放射状に位置させる。またモーメントシャフトは、断面が中空のパイプ状、矩形状、Ｈ型状、Ｔ型状、Ｉ型状等の梁状のものなどを一体的に或いは複合的に組み合わせたもの等を用いる。モーメントシャフトの先部には錘を兼ねた固定具を設けてよい。
（４）、磁石浮遊ガイド機構は、当該モーメントシャフト機構に支持され、その回転半径方向にスライド自在にして前記リング軌条に沿って回転しこの回転の際、前記リング軌条の磁石に対して単数又は複数個の磁石を所定の間隔を保持して対面配置するものである。
磁石浮遊ガイド機構を、各モーメントシャフト機構の回転半径方向にスライド自在に支持する手段は、モーメントシャフト自体を伸縮自在の多重管シャフト機構にし、これに磁石浮遊ガイド機構を固定したり、モーメントシャフト機構の回転軸又は磁石浮遊ガイド機構にモーメントシャフトのスライド機構を設置したり、或いはこれらの適宜な組み合わせを採用する等その他適宜な公知のスライド手段を採用する。
（５）、本発明において、上記磁石回転ユニットは、同一の共用回転駆動軸に対して任意数の複数ユニットのグループを単数グループ又は複数グループを用意し、これらのモーメントシャフト機構は回転軸部を前記回転駆動軸に固定装着する際、所定の等分割の回転角度ずらして装着する。例えば回転駆動軸の１回転角度をグループ単位のユニット数で等分割した回転角度にずらして軸受けを固定して、回転駆動軸にかかる回転モーメントの変動サイクルと変動幅を等しくし且つ僅少値に保持する。
（６）、本発明において、回転駆動軸に直接或いはフライホイール等を介して間接的に発電装置を接続して電力を得るものである。
該回転駆動軸は、公知の超電導磁気軸受を採用して回転駆動抵抗の激減を図り高効率で電力を得ることが出来る。
また回転駆動軸に一般に付設する各種の機器は制限するものでなく適宜に設置してよい。例えば、回転駆動軸２の撓まない任意の位置に、フライホイールを設けることは、磁石浮遊転動モーメント機構をより円滑に回転させると共に、その回転力による電力を高効率で得る機能があり有効である。
（７）、また、磁石リング軌条は、磁石浮遊転動モーメント機構の回転に伴う慣性力はリング円周方向の分布が反偏心側に大きく偏るため、これによるリング変形を防止するための構造として例えばリング枠体を高強度断熱性のＦＲＰ（繊維強化プラスチック）製又はステンレス製にし、その側面にドーナツ型補強板を一体的に装着するなどが挙げられる。
以上の本発明の発電用回転装置を実施するための最良の形態は、次に紹介する実施例により更に詳細に説明する。
【実施例１】
【０００９】
本発明の発電用回転装置の実施例１を図１〜図５に示す。
図１は発電用回転装置の全体正面説明図である。
図２〜図４は、図１に示す発電用回転装置の「磁石回転ユニット３−１〜３−８」の１単位の詳細を示す説明図である。
図２は図１の左端の磁石回転ユニット３−１の拡大正面説明図であり、図３は図２の矢視Ａ−Ａから見た側断面説明図である。図４は図２の矢視Ｂ−Ｂから見た平断面説明図である。
図５は、図１に示す各「磁石回転ユニット３−１〜３−８」における磁石浮遊転動モーメント機構２００と円パック体の磁石１０２を円周固定配列した磁石リング軌条１００−１、１００−２との相対位置関係を一図で示して、回転駆動軸２に掛かる回転モーメントを算出するための説明図である。
【００１０】
本例の発電用回転装置１は、基礎架構Ｇに組み込んだものであり、その水平置きの回転駆動軸２を共有し並列連設した８つの磁石回転ユニット３−１〜３−８とからなる。
磁石回転ユニット３−１〜３−８の各々は、磁石１０２を円周に緻密に固定配列したツインの磁石リング軌条１００−１、１００−２と、この磁石リング軌条のツイン間の中心にこれと平行して配置した磁石浮遊転動モーメント機構２００とから構成する。
【００１１】
磁石リング軌条１００−１、１００−２は、各々基礎架構Ｇに竪型に固定装着した非磁性体のリング枠体１０１とこれの円周に沿って等間隔で円形ブロックや矩形ブロック等又は本例のように円パック体の磁石１０２を隣接間隙を１〜３ｍｍにして固定配列したものであり、磁石１０２はＳ極をリング内周側に、Ｎ極をリング外周側に位置させる。
前記磁石浮遊転動モーメント機構２００は、前記磁石リング軌条間に配置し、直線状のモーメントシャフト機構２１０とその両側に装着した一対の磁石浮遊ガイド機構２３０−１、２３０−２とから構成する。
【００１２】
モーメントシャフト機構２１０は、一対の平行モーメントシャフト２１１と、その両側にモーメンシャフト２１１を固定支持するシャフト支持端末２１２、２１３と、モーメントシャフト２１１の転動の回転中心側に前記モーメントシャフト２１１をスライド自在に支持するスライド支持軸受体２１４とを設け、スライド支持軸受体２１４には前記回転駆動軸２に固定装着する軸受２１５を設けて、回転駆動軸２の回転駆動により全体が転動回転する。
モーメントシャフト機構２１０の直立状態以外の全転動回転中において、前記回転駆動軸２の軸心２ｃは、磁石浮遊ガイド機構２３０−１、２３０−２を支持するモーメントシャフト２１１の軸受２１５を介して回転駆動軸２に、回転モーメントを付与するため、磁石リング軌条１００−１、１００−２の円心１００ｃを通る水平線ＨＬ上で円心１００ｃから変位させて当該軸受２１５部を支持するが、本例は磁石リング軌条の直径の３分の１の位置に設定してある。
【００１３】
一対の前記磁石浮遊ガイド機構２３０−１、２３０−２は、その一方２３０−１の支持本体２３１−１を錘を兼用する前記シャフト支持端末２１２とをボルトナット-プレート式等の適宜な連結支持具ＣＮで固定装着し、他方２３０−２の支持本体２３１−２をシャフト支持端末２１３側で前記モーメントシャフト２１１にシャフト長手方向にスライド自在に装着する。
【００１４】
前記各磁石浮遊ガイド機構２３０−１、２３０−２は、支持本体２３１−１、２３１−２の両側において、ピン２３２で若干首振り自在に支持した各一対のコ字型の枠体２３３に円パック体の磁石２３４を対面配置し、この磁石２３４の各対面間には、当該リング枠体１０１の磁石１０２の配列部を離間位置させる。磁石２３４の配置は、その回動中に磁石１０２から常に均等な反発力を得るため、磁石１０２の一個分と対面するように、又は常に均等で強力な反発力を得るため複数個分と対面するように、その対面領域を設定し、その対面領域に前記磁石２３４を単数又は複数個対面配置するのである。
リング枠体１０１の内周側に対面位置する磁石２３４は、磁石１０２のＳ極と対面する磁極を同極のＳ極とし、リング枠体１０１の外周側に対面位置する磁石２３４は磁石１０２のＮ極と対面する磁極を同極のＮ極とする。これにより磁石２３４は、磁石１０２との互いの反発力により、互いに接触せずに常に等間隔の離間関係を維持して浮遊状態となるので、モーメントシャフト機構２１０の回転により磁石１０２の配列部に沿って非接触状態で浮遊倣いしながらその浮遊倣い力でモーメントシャフト２１１に沿ってつまり回転半径線に沿ってスライドし回転半径を連続的に変化させ、リング枠体に沿って円滑に偏心回転走行するのである。
【００１５】
このように磁石浮遊ガイド機構２３０−１、２３０−２は、前記モーメントシャフト２１１の回転と磁石浮遊ガイド機構２３０−２の浮遊倣い力により、磁石浮遊ガイド機構２３０−１は、前記モーメントシャフト２１１自体と共にスライド支持軸受体２１４のガイドに沿ってスライド移動させ、磁石浮遊ガイド機構２３０−２は、モーメントシャフト２１１に沿ってスライド移動されるため、磁石浮遊ガイド機構２３０−１、２３０−２自体は、その浮遊走行移動に伴う回転半径の連続的変化を円滑に且つ確実に追随吸収して回転するのである。
【００１６】
而して、図５において、磁石回転ユニット３−１〜３−８間における磁石浮遊転動モーメント機構２００のモーメントシャフト機構２１０の相対配置位置は、回転駆動軸２の半回転角度（１８０度）内に磁石回転ユニット３−１〜３−８順にＰ１−ｐ１〜Ｐ８−ｐ８で示し、それらの配置回転角度差は、２２．５度に設定してある。これにより各磁石浮遊転動モーメント機構２００の一対の磁石浮遊ガイド機構２３０−１、２３０−２は、回転駆動軸２の一回転角度（３６０度）内に２２．５度の均等角度で１６個が配置され、それらの配置角度位置をＰ１，ｐ１〜Ｐ８，ｐ８で表示し、Ｐ１〜Ｐ８は磁石浮遊ガイド機構２３０−１でｐ１〜ｐ８は磁石浮遊ガイド機構２３０−２の各配置角度位置である。
図５に示す条件例で、代表的な配置位置Ｐ１−ｐ１〜Ｐ５−ｐ５にある各磁石浮遊ガイド機構から磁石浮遊転動モーメント機構２００を介して回転駆動軸２の軸心２ｃにかかる各回転モーメントＰ１Ｍ〜Ｐ５Ｍは、磁石浮遊転動モーメント機構の重量（一定）×回転駆動軸２の軸心２ｃ位置Ｑを通る水平直径線ＨＬに対する前記Ｐ１〜Ｐ５、ｐ１〜ｐ５からの垂線の交点Ｐ１ｃ〜Ｐ５ｃ、ｐ１ｃ〜ｐ５ｃと軸心位置Ｑ間の長さで算出される。
このことから回転駆動軸２の回転抵抗値、及び磁石浮遊ガイド機構２３０−１、２３０−２のモーメントシャフト機構２１０に対するスライド抵抗値等を極力低減するのみで、磁石浮遊転動モーメント機構の個数、重量等を可変設定すれば、回転抵抗値とスライド抵抗値を減じても実質の総合回転モーメントを正の値で可能な限り大きい値にして回転することが容易に可能である。
【実施例２】
【００１７】
実施例２は図６に示すもので、実施例１に紹介した磁石浮遊転動モーメント機構２００の変形例２００−１と、それに伴うモーメントシャフト両側側への一対の磁石浮遊ガイド機構２３０−１、２３０−２の装着を変えた例である。
基本的に実施例１と同一又は類似の構造のものは同一符号を付しその詳細は省略する。但し磁石リング軌条１００−１、１００−２と磁石浮遊ガイド機構２３０−１、２３０−２に配置の磁石１０２と２３４は断面が湾曲した矩形のブロック型を採用し、各磁石２３４は１〜５ｍｍの僅少間隙を介して配列してあり、各磁石浮遊ガイド機構の磁石１０２は１個配列してある。
前記磁石浮遊転動モーメント機構２００−１は、前記磁石リング軌条１００−１、１００−２間に配置し、直線状のモーメントシャフト機構２１０−１とその両側側に装着した一対の磁石浮遊ガイド機構２３０−１、２３０−２とから構成する。
また磁石浮遊転動モーメント機構２００−１のモーメントシャフト機構２１０−１は、中央部で二重に摺動自在に嵌合した内・外シャフト４０１、４０２を有する一対の平行モーメント二重シャフト４００と、内・外シャフト４０１、４０２の外側端を固定支持すると共に当該磁石浮遊ガイド機構２３０−１、２３０−２を連結支持具ＣＮにより固定装着するシャフト支持端末２１２、２１３と、モーメント二重シャフト４００の転動の回転中心側に前記外シャフト４０２をスライド自在に支持するスライド支持軸受体２１４−１とを設け、スライド支持軸受体２１４−１には前記回転駆動軸２に固定装着する軸受２１５を設けて、回転駆動軸２の回転駆動により全体が転動回転する。
外シャフト４０２は、その先端にベアリング４０３を有し、これで内シャフト４０１の外周面との摺動抵抗を低減しガイドする。
この平行モーメント二重シャフト４００の採用により、磁石浮遊ガイド機構の浮遊転動移動に伴う回転半径の連続的変化を内・外シャフト４０１、４０２で伸縮吸収して円滑に追随すると共に、磁石浮遊ガイド機構から外側に突出する部分とその長さを低減して、軸受２１５部に、より大きい回転モーメントを付与するのである。
【実施例３】
【００１８】
実施例３は図７に示すもので、実施例１に紹介した磁石浮遊転動モーメント機構２００の変形例２００−２と、それに伴うモーメントシャフト両側への一対の磁石浮遊ガイド機構２３０−１、２３０−２の装着を変えた例である。
基本的に実施例１と同一又は類似の構造のものは同一符号を付しその詳細は省略する。
前記磁石浮遊転動モーメント機構２００−２は、前記磁石リング軌条１００−１、１００−２間に配置し、直線状のモーメントシャフト機構２１０−２とその両側側に装着した一対の磁石浮遊ガイド機構２３０−１、２３０−２とから構成する。
また磁石浮遊転動モーメント機構２００−２のモーメントシャフト機構２１０−２は、一対の平行モーメントシャフト４００と、平行モーメントシャフト４００外側端を固定支持すると共に当該磁石浮遊ガイド機構２３０−１、２３０−２とは離間自在にしたシャフト支持端末２１２、２１３と、モーメントシャフト４００の中間部を転動の回転中心としそこを固定支持するスライド支持軸受体２１４とを設け、スライド支持軸受体２１４には前記回転駆動軸２に固定装着する回転軸受２１５を設けて、回転駆動軸２の回転駆動により全体が転動回転する。
この平行モーメントシャフト４００の採用により、磁石浮遊ガイド機構の浮遊転動移動に伴う回転半径の連続的変化を磁石浮遊ガイド機構のみがモーメントシャフトに沿って遠近摺動して吸収追随すると共に、軸受２１５部に掛かる回転モーメントは前例より減少するが磁石浮遊ガイド機構から外側に突出する部分とその長さを一定にしてあるので遠心力の変化量を低減して円滑な回転を維持させるのである。
尚、磁石リング軌条１００−１、１００−２と磁石浮遊ガイド機構２３０−１、２３０−２に配置の磁石１０２と２３４は断面が湾曲した矩形のブロック型を採用し、各磁石２３４は１〜５ｍｍの僅少間隙を介して配列してあり、各磁石浮遊ガイド機構の磁石１０２は１個配列してある。
【実施例４】
【００１９】
実施例４は図８と図９に示すもので、実施例１に紹介した磁石浮遊転動モーメント機構２００において、一対の磁石浮遊ガイド機構２３０−１、２３０−２の装着例を変えた例である。
基本的に実施例１と同一構造のものは同一符号を付しその詳細は省略する。
一対の前記磁石浮遊ガイド機構２３０−１、２３０−２は、その一方の支持本体２３１−１を前記モーメントシャフト２１１自体の前記シャフト支持端末２１２側に連結支持具ＣＮで装着し、他方の支持本体２３１−２を前記モーメントシャフト２１１のシャフト支持端末２１３側にスライド自在に装着する。
前記各、磁石浮遊ガイド機構２３０−１、２３０−２は、支持本体２３１−４の両側において、ピン５００で若干首振り自在に支持したコ字型の枠体５０１に磁石２３４を対面配置し、磁石２３４の各対面間には、当該リング枠体１０１の磁石１０２配列部を離間位置させたものである。
この構成により、磁石浮遊ガイド機構２３０の浮遊転動移動の際、その何れの回動位置においても、枠体５０１は、磁石２３４と磁石１０２との互いの反発力によりピン５００を中心に回動して、磁石２３４同士の対面関係を保持して、リング枠体１０１の磁石１０２との対面離間関係力を常に強く均一なものに維持して、磁石１０２の配列部に沿った浮遊転動移動をより安定維持させるものである。
【実施例５】
【００２０】
実施例５は図示していないが、実施例１に紹介したツインの磁石リング軌条１００−１、１００−２において、その一方１００−２を省略してシングルの磁石リング軌条１００−１のみとし、併せて実施例１に紹介した磁石浮遊転動モーメント機構２００においても、モーメントシャフト機構２１０のモーメントシャフト両側に一対の磁石浮遊ガイド機構２３０−１、２３０−２を設けたものを、磁石浮遊ガイド機構２３０−１のみを装着した例である。
本例は、磁石回転ユニットの小型化と軽量化を図ったものである。
【実施例６】
【００２１】
実施例６は、図１０に示し、３組のモーメントシャフト機構２１０−１〜２１０−３を、その回転軸部２１４から等角間隔で設け、その各々の両側部に、湾曲した断面矩形の磁石２３４を配置した磁石浮遊ガイド機構２３０−１、２３０−２を装着して、回転軸部２１４に対して６０度の角間隔で六個を軸方向に並列配置した例である。
磁石浮遊ガイド機構２３０−１、２３０−２とモーメントシャフト機構２１０−１〜２１０−３の各々は、図９に示す例と同様のタイプであり、同一又は類似部分には同一符号を付しその詳細説明を省略する。モーメントシャフト機構２１０−１〜２１０−３は、両側に各々磁石浮遊ガイド機構２３０−１、２３０−２を夫々装着した供用のものである。図６に示す二重シャフト式の機構であってもよい。
このモーメントシャフト機構２１０−１〜２１０−３の採用により、磁石浮遊ガイド機構２３０−１、２３０−２の浮遊転動移動に伴う回転半径の連続的変化を磁石浮遊ガイド機構２３０−２のスライド機構で伸縮吸収して円滑に追随すると共に、磁石浮遊ガイド機構から外側に突出する部分とその長さを一定にして、回転軸受２１５を介して回転駆動軸２に、起伏の少ない略連続した大きい回転モーメントを付与するのである。
【００２２】
以上本発明の実施例を６例ほど紹介したが、これらの例の他に、各例のいろいろな組み合わせや単純化を任意にした例が存在することは自明であり、それらは本発明の技術思想を悦脱するものではなく自由に実施することができる。
また回転機構に一般に付設する各種の機器は制限するものでなく適宜に設置してよい。例えば、回転駆動軸２の撓まない任意の位置に、フライホイールを設けることは、磁石浮遊転動モーメント機構２００をより円滑に回転させる機能があり有効である。
また、ツインの磁石リング軌条１００−１、１００−２も、磁石浮遊転動モーメント機構２００の回転に伴う慣性力はリング円周方向の分布が反偏心側に大きく偏るため、これによるリング変形を防止するための構造例えばリング枠体をステンレス製にし、その側面にドーナツ型補強板を一体的に装着するなどが挙げられる。
【産業上の利用可能性】
【００２３】
本発明は、上述のように優れた作用効果を呈するものであり、クリーンエネルギー技術として、大幅なコスト低減及びメンテナンスフリー発電を手軽に実現し、各種産業に広く普及し活用される発電用回転装置である。
【符号の説明】
【００２４】
１  発電用回転装置
２  回転駆動軸
３−１〜３−８  磁石回転ユニット
１００−１、１００−２  磁石リング軌条
１０１  リング枠体
１０２  磁石
２００  磁石浮遊転動モーメント機構
２１０  モーメントシャフト機構
２１１  モーメントシャフト
２１４  スライド支持軸受体
２１５  軸受
２３０−１、２３０−２  磁石浮遊ガイド機構
２３１−１、２３１−２  磁石の支持本体
２３２  磁石２３４毎の首振り用のピン
２３４  磁石
４００  モーメント二重シャフト
５００  左右又は左右と上下の磁石２３４の同時首振り用のピン
【図１】
0005285820.tif 000002
【図２】
0005285820.tif 000003
【図３】
0005285820.tif 000004
【図４】
0005285820.tif 000005
【図５】
0005285820.tif 000006
【図６】
0005285820.tif 000007
【図７】
0005285820.tif 000008
【図８】
0005285820.tif 000009
【図９】
0005285820.tif 000010
【図１０】
0005285820.tif 000011